(57)【要約】【課題】様々な産業分野で用いることができ、長手方向及び長手方向に直交する方向の両方の方向に伸張する電線を提供する。【解決手段】所定方向Ｘに延びる複数の導電線１０と、繊維２０が編み込まれてなり、繊維２０によって導電線１０を保持する編物３０とを有し、複数の導電線１０は、所定方向Ｘに対して直交する方向Ｙに各々振幅する波形を有し、その振幅の中心位置が一定の距離だけ方向Ｙに離れて配置されると共に波形の位相が前記所定方向Ｘにずれて配置され、導電線同士は相互に交差して波形同士が接触し、波形が所定方向Ｘにそれぞれ連ねられることにより、所定方向Ｘに延びている電線により課題を解決する。編物を構成する繊維は、導電性を有する導電性繊維２０で編物３０を形成し、導電線１０は、導電性繊維２０に編み込まれ、導電性繊維には縮れが形成され、導電性繊維２０は、導電線１０の隣り合う波形同士をつなぎ合わせてなることがよい。【選択図】図２
2020061386.tif 000002
【特許請求の範囲】
【請求項１】
長手方向及び長手方向に直交する方向の両方の方向に伸張させることができる電線であって、
所定方向Ｘに延びる複数の導電線と、繊維が編み込まれてなり、前記繊維によって該導電線を保持する編物とを有し、
複数の前記導電線は、前記所定方向Ｘに対して直交する方向Ｙに各々振幅する波形を有し、前記波形の位相が前記所定方向Ｘにずれて配置され、前記導電線同士は相互に交差して前記波形同士が接触し、前記波形が前記所定方向Ｘにそれぞれ連ねられることにより、前記所定方向Ｘに延びており、
前記編物を構成する前記繊維は、導電性を有する導電性繊維であり、複数の前記導電線は、前記導電性繊維に編み込まれ、前記導電性繊維には縮れが形成されており、前記導電性繊維は、前記導電線における前記所定方向Ｘに隣り合う前記波形同士をつなぎ合わせている、ことを特徴とする電線。
【請求項２】
前記振幅の中心位置が一定の距離だけ方向Ｙに離れて配置される、請求項１に記載の電線。
【請求項３】
前記所定方向Ｘに延びる１本又は２本以上の補助導電線を、さらに備え、
前記補助導電線は、前記所定方向Ｘに対して直交する方向Ｙに振幅する波形をなして少なくとも２本の前記導電線同士をつないでいる、請求項２に記載の電線。
【請求項４】
前記導電性繊維は、前記導電線の前記所定方向Ｘに直交する方向Ｙの両側で編まれている、請求項２又は３に記載の電線。
【請求項５】
前記導電性繊維がたて編みされている、請求項２〜４のいずれか１項に記載の電線。
【発明の詳細な説明】
【技術分野】
【０００１】
本発明は、電線に関し、さらに詳しくは、縦方向及び横方向の両方向に伸張させることができる電線に関する。
【背景技術】
【０００２】
長手方向に伸張させることができる電線は、従来からＯＡ機器や産業機械の配線に用いられている。こうした伸縮性を有する電線は、種々の構成のものがこれまでに提案されている。
【０００３】
例えば、特許文献１により提案されている伸縮電線は、ロボットやウェアラブル電子機器等の配線に用いられている。この伸縮電線は、伸縮性芯部と、伸縮性芯部の外周に捲回及び／又は編組された導体線で構成される導体部と、導体部の外周に形成された弾性樹脂で構成される第一外部被覆層と、第一外部被覆層の外周に形成された繊維で構成される第二外部被覆層とによって構成されている。
【０００４】
その一方で、織物や編物の分野では、織物や編物に導電性を持たせることが行われるようになっている。
【０００５】
特許文献２には、導電性織編物が提案されている。この導電性織編物は、長手方向に沿って配置される複数本の経糸と、経糸に編まれる複数本の緯糸と、長手方向に沿って配置されて織られる少なくとも一本の導電線とが面状に織られることにより構成されている。そして、導電線は経糸及び／または緯糸に編まれ、導電性織編物に一体に拘束される導電線織り区間と、導電線が経糸及び／または緯糸に編まれずに、導電性織編物の外部に所定の長さだけ露出する導電線露出区間と、を有するように構成されている。なお、特許文献２では、導電線を波状の構造に折り込むことも提案されている。
【先行技術文献】
【特許文献】
【０００６】
【特許文献１】特開２０１１−８２０５０号公報
【特許文献２】特表２０１３−５１７３８９号公報
【発明の概要】
【発明が解決しようとする課題】
【０００７】
特許文献１により提案されている伸縮電線は、長手方向にしか伸縮しない。また、この伸縮電線は、上記のように芯部の周囲に導体部を巻いた構造であるため、芯部を太くしなければ伸縮率を大きくすることができない。また、この伸縮電線の構造では、衣料を構成する繊維に伸縮電線をそのまま接続することができず、接続するために特殊な加工が必要である。
【０００８】
一方、特許文献２により提案されている導電性織編物は、素地をなす布地が縦方向に直線状に延びる経糸と横方向に直線状に延びる緯糸とで構成された織物である。導電線はこうした織物に織り込まれている。そのため、この導電性織編物は、縦方向及び横方向の両方の方向にほとんど伸縮しない。そのため、この導電性織編物を伸縮可能な電線として利用することは困難である。
【０００９】
本発明は上記課題を解決するためになされたものであり、その目的は、様々な産業分野で用いることができ、長手方向及び長手方向に直交する方向の両方の方向に伸張させることができる電線を提供することにある。
【課題を解決するための手段】
【００１０】
上記課題を解決するための本発明に係る電線は、所定方向に延びる複数の導電線と、繊維が編み込まれてなり、前記繊維によって該導電線を保持する編物とを有し、複数の前記導電線は、前記所定方向に対して直交する方向に各々振幅する波形を有し、該波形が前記所定方向にそれぞれ連ねられることにより、前記所定方向に延びていることを特徴とする。
【００１１】
この発明によれば、複数の導電線が、所定方向に対して直交する方向に各々振幅する波形を有し、波形が所定方向にそれぞれ連ねられることにより、所定方向に延びているので、電線に引張力を加えたときに、波形の間隔が所定方向に広がることによって電線を伸張させることが可能である。また、導電線は編物により保持されているので、所定方向に対して直交する方向に引張力を加えた場合にも、編物の伸縮性を利用して所定方向に対して直交する方向にも自由に伸張させることが可能である。
【００１２】
本発明に係る電線において、前記編物を構成する前記繊維は、導電性を有する導電性繊維であり、前記導電性繊維には縮れが形成されており、前記導電性繊維は、前記導電線における前記所定方向に隣り合う前記波形同士をつなぎ合わせている。
【００１３】
この発明によれば、縮れた導電性繊維が、導電線における所定方向に隣り合う波形同士をつなぎ合わせているので、電線に引張力を加えたときに、導電性繊維の縮れの伸びを利用することによって電線を所定方向及び所定方向に直交する方向のいずれの方向にも伸張させることができる。また、電線が伸張した場合でも、導電性繊維が導電線における所定方向に隣り合う波形同士をつなぎ合わせているので、抵抗値が極端に増加することを抑制することができる。
【００１４】
本発明に係る電線において、前記導電線同士は相互に交差して接触している。
【００１５】
この発明によれば、前記導電線同士は相互に交差して接触しているので、導電線が長手方向の途中で物理的に切れてしまった場合でも、電気的な断線が生じることを抑制することが可能である。
【００１６】
本発明に係る電線において、前記所定方向に延びる１本又は２本以上の補助導電線を、さらに備え、前記補助導電線は、前記所定方向に対して直交する方向に振幅する波形をなして少なくとも２本の前記導電線同士をつないでいる。
【００１７】
この発明によれば、補助導電線が導電線同士をつないでいるので、補助導電線を設けていない電線に比べ、電線の抵抗値を低減することができる。
【００１８】
本発明に係る電線において、前記導電性繊維は、前記導電線の前記所定方向に直交する方向の両側で編まれている。
【００１９】
この発明によれば、導電性繊維が、導電線により形成された波形の間隔が極端に広がること、及び波形が極端に変形することを防止することができる。そのため、電線に大きな引張力が加わった場合でも、導電線が断線することを防止することができる。
【００２０】
なお、本発明に係る電線において、前記導電性繊維をたて編みして構成するとよい。この発明によれば、布地部は導電性繊維をたて編みして構成しているので、よこ編みして構成する場合に比べて導電性を高くすることができる。なお、導電性繊維を編み込んで電線を製造する場合、導電性繊維をよこ編みしてもたて編みしても製造することができる。ただし、この発明のように導電性繊維をたて編みして電線を構成した場合、導電性繊維をよこ編みして構成する場合に比べて、より効率よく構成させることができ、コストを抑制することが可能になる。
【００２１】
さらに、本発明に係る電線は、所定方向Ｘに延びる複数の導電線と、繊維が編み込まれてなり、前記繊維によって該導電線を保持する編物とを有し、複数の前記導電線は、前記所定方向Ｘに対して直交する方向Ｙに各々振幅する波形を有し、前記波形の位相が前記所定方向Ｘにずれて配置され、前記導電線同士は相互に交差して前記波形同士が接触し、前記波形が前記所定方向Ｘにそれぞれ連ねられることにより、前記所定方向Ｘに延びており、前記編物を構成する前記繊維は、導電性を有する導電性繊維であり、複数の前記導電線は、前記導電性繊維に編み込まれ、前記導電性繊維には縮れが形成されており、前記導電性繊維は、前記導電線における前記所定方向Ｘに隣り合う前記波形同士をつなぎ合わせている、ことを特徴とする。
【発明の効果】
【００２２】
本発明によれば、様々な産業分野で用いることができる、長手方向及び長手方向に直交する方向の両方の方向に伸張する電線を提供することができる。
【図面の簡単な説明】
【００２３】
【図１】本発明に係る電線の一実施形態を模式的に示した説明図である。
【図２】図１に示した電線を部分的に拡大し、模式的に示した説明図である。
【図３】補助導電線を備えた電線を部分的に拡大し、模式的に示した説明図である。
【図４】４本の導電線からなる電線を部分的に拡大し、模式的に示した説明図である。
【図５】補助導電線を備えた電線を部分的に拡大し、模式的に示した説明図である。
【図６】図５とは異なる形態の補助導電線を備えた電線を部分的に拡大し、模式的に示した説明図である。
【図７】導電線が所定方向にずれた形態で配置された電線を模式的に示した説明図である。
【図８】電線を製造する過程で形成される電線の群を示す説明図である。
【図９】非導電性繊維が編み込まれた非導電性編物を有する第１タイプの電線の構造を説明するための平面図である。
【図１０】非導電性繊維が編み込まれた非導電性編物を有する第２タイプの電線の構造を説明するための平面図である。
【図１１】非導電性繊維が編み込まれた非導電性編物を有する第３タイプの電線の構造を説明するための平面図である。
【図１２】非導電性繊維が編み込まれた非導電性編物と導電線とからなる第４タイプの電線の構造を説明するための示す平面図である。
【発明を実施するための形態】
【００２４】
以下、本発明の実施形態につて図面を参照しながら説明する。なお、本発明の技術的範囲は、以下の記載や図面にのみ限定されるものではない。
【００２５】
［基本構成］
本発明に係る電線１は、図１及び図２に示すように、所定方向Ｘに延びる複数の導電線１０と、繊維２０が編み込まれてなり、繊維２０によって導電線１０を保持する編物３０とを有している。複数の導電線１０は、所定方向Ｘに対して直交する方向Ｙに各々振幅する波形を有し、波形が所定方向Ｘにそれぞれ連ねられることにより、所定方向Ｘに延びている。
【００２６】
以下、電線１の具体的な構成について、適宜に図面を参照して説明する。
【００２７】
（導電線）
導電線１０は、図１及び図２に示すように、２本設けられており、構造的に並列をなして配置されている。各導電線１０は、図１及び図２の符号Ｘで表した所定方向（以下、「所定方向Ｘ」という。）にそれぞれ延びている。また、各導電線１０は所定方向に直交する方向（以下、「方向Ｙ」又は「Ｙ方向」という。）に振幅するようにして波形をそれぞれなしている。２本の導電線１０は、相互に隣り合う導電線１０同士が相互に交差して接触している。導電線同士は、Ｘ方向の複数の位置で交差している。
【００２８】
２本の導電線１０は、各導電線１０の振幅の中心同士の位置が一定の距離だけ離れて配置されている。各導電線１０の振幅の中心同士の距離は、導電線１０が形成している波形の振幅と同じか又は短い。また、波形の位相が所定方向Ｘにずれて配置さている。２本の導電線１０は、各導電線１０の振幅の中心同士の距離と、波形の位相とがこのように構成されているので、２本の導電線１０が交差することによって、波形同士が接触する。なお、特に図面には示していないが、導電線１０は、波形の頂点同士が接触するように配置してもよい。
【００２９】
導電線１０は、上記のように、相互に隣り合う導電線１０同士が接触しているので、導電線１０と導電性繊維２０との接触不足が部分的に生じても、導電線１０に流れる電流を分散して流すことができる。また、各導電線１０の振幅の中心同士の距離（Ｙ方向の距離）は、導電線１０が形成している波形の振幅と同じか又は短いので、隣り合う導電線１０同士は、確実に接触する。
【００３０】
この導電線１０は、一般的な導電線に用いられる材料で構成されている。導電線１０を構成する材料としては、例えば、銅又は銅合金等を挙げることができる。また、導電線１０は、例えば、繊維からなる芯線の外周に銅線を撚糸して形成してもよい。
【００３１】
なお、この導電線１０は、導電性繊維２０よりも相対的に太く、多くの電流を流すことができる材料で構成されていれば、上記のものには限定されない。例えば、導電線１０は、銅線等に導電材に導電性のめっきをした構造、非導電材に導電性メッキをした構造のものを用いることができる。また、導電線１０は、それ自体に伸縮性を備えていることは必要ない。
【００３２】
導電性繊維２０は、図２に示すように、導電線１０の所定方向Ｘに隣り合う波形同士をつなぎ合わせている。具体的に、導電性繊維２０は、導電線１０のＹ方向の両側で編み込まれることによって、導電線１０の波形同士をつなぎ合わせることにより、導電線１０を保持している。ただし、導電性繊維２０は、導電線１０が配置されたＹ方向の範囲に編み目が形成されるように編み込んでもよい。導電性繊維２０が導電線１０のＹ方向の両側で編まれた部分は、後述する導電性編物３０の一部を構成する。この導電性繊維２０には縮れが形成されている。そのため、導電性繊維２０は、その長手方向に伸縮する。
【００３３】
導電性繊維２０は、芯線と、その芯線の表面に形成された導電層とで構成されている。芯線は、例えば、合成繊維、天然繊維及び合成繊維と天然繊維との混合繊維で構成されている。
【００３４】
導電層は、例えば、芯線の表面にめっき（無電解又は電解）をしたり、又は箔を巻いたりして構成されている。導電層を構成する材料としては、金、銀、銅、アルミ、錫、ニッケル銅、及びそれらの合金等の導電性が高いものが好ましい。
また、導電層は、直径が芯線よりも細い導電性を有する線を螺旋状に巻き付けることによって構成することもできる。
【００３５】
（編物）
編物３０は、導電線１０の所定方向Ｘに直交する方向Ｙの両側に設けられており、導電線１０を保持している。ただし、編物３０は導電線１０のＹ方向の両側だけに設けることには限定されず、導電線１０のＹ方向の両側に加えて導線１０が配置された領域にも編物３０が配置されるように構成してもよい。
【００３６】
この編物３０は、導電性繊維２０が編み込まれることにより構成されており、導電線１０に接続されている。以下、導電性繊維２０で編み込まれてなる編物を導電性編物３０という。この導電性編物３０を構成する導電性繊維２０は、方向Ｙの両側で導電線１０の各波形同士をＸ方向に接続するようにして編み込まれている。
【００３７】
導電性編物３０の編み方には、導電性繊維２０をたて編みしたり、よこ編みしたりすることによって形成することができ、特に限定はない。ただし、導電性編物３０は導電性繊維２０をたて編みして構成した場合、よこ編みして構成する場合に比べて導電性を高くすることができる。すなわち、導電性編物３０は、導電性繊維２０をたて編みし、複数のループが電線１の延びる方法、すなわち、Ｘ方向に連なるように編んだ場合、よこ編みし、複数のループが複数のループが電線１の延びる方法、すなわち、Ｘ方向に連なるように編んだ場合よりも導電性を高くすることができる。
【００３８】
また、導電性繊維２０をたて編みして電線を構成した場合、導電性繊維をよこ編みして構成する場合に比べて効率よく構成させることができ、かつコストを抑制することが可能になる。たて編みとしては、例えば、トリコット編み及びラッセル編みを挙げることができる。
【００３９】
この導電性編物３０は、導電線１０が所定方向Ｘに伸張することを許容しつつ、導電線１０の所定方向Ｘの動きを拘束する機能を有しており、導電線１０が所定方向Ｘに大きく伸張することを防止している。なお、導電性編物３０は、導電線１０の所定方向Ｘに直交する方向Ｙの両側に設けることには限定されず、Ｙ方向において、導電線１０の両側に設けると共に、導電線１０が配置された範囲にも設けることができる。
【００４０】
以上の構成を有する電線１Ａは、複数の導電線１０が波形をなして所定方向Ｘに延びているので、電線１Ａを所定方向Ｘに引っ張った場合、波形の間隔が所定方向Ｘに広がる。導電線１０の波形同士を接続している導電性繊維２０は、縮れを有しているので、その長手方向に自由に伸縮する。そのため、電線１Ａに所定方向Ｘの引張力を加えたとき、電線１Ａは、所定方向に伸張する。そして、電線１Ａに加えられた引張力を解除したとき、電線１Ａは、元の長さに戻る。
【００４１】
一方、電線１Ａは、波形をなして所定方向Ｘに延びる複数の導電線１０が並列に配置されて構成されているので、電線１ＡをＹ方向に引っ張った場合、波形がＹ方向に変形し、電線１ＡはＹ方向に広がる。そして、電線１Ａに加えられたＹ方向の引張力を解除したとき、電線１ＡのＹ方向の寸法は元に戻る。
【００４２】
なお、波形をなす導電線１０が所定方向Ｘに伸張したとき、波形同士の間隔が広がるため、所定方向Ｘの抵抗は増加する。また、波形をなす導電線１０がＹ方向に伸張したとき、波形の間隔が広がるように変形し、その変形に伴ってＹ方向の抵抗は増加する。しかしながら、この電線１Ａでは、導電線１０の波形が導電性繊維２０によって接続されている。そのため、導電性繊維２０が導電線１０の隣り合う波形同士に電流を流すので、電線１Ａが所定方向Ｘに伸張した場合やＹ方向に伸張した場合でも、所定方向Ｘの抵抗値及びＹ方向の抵抗値の極端な増加は、防止される。
【００４３】
以上、電線１が導電線１０及び導電性繊維２０からなる導電性編物３０で構成されている場合を例に説明した。しかしながら、電線１は、図３に示すように、導電線１０及び導電性編物３０の他に、補助導電線１５を編み込んで構成することもできる。
【００４４】
（補助導電線）
補助導電線１５は、図３に示すように、所定方向Ｘに延びている。この補助導電線１５は、所定方向Ｘに対して直交する方向Ｙに振幅する波形をなしている。補助導電線１５のＹ方向の振幅は、導電線１０の振幅よりも大きい。そのため、この補助導電線１５は、２本の導電線１０同士をつないでいる。補助導電線１５が形成する波形の波長は、必要に応じて、導電線１０が形成する波形の波長より長く形成することも、短く形成することもできる。また、補助導電線１５が形成する波形の波長と導電線１０が形成する波形の波長とを同じに形成することもできる。
【００４５】
この補助導電線１５は、電線１Ｂに電流を流したときに、２本の導電線１０で電線１Ａを構成した場合よりも、発生する抵抗値を低減する。
【００４６】
補助導電線１５を設けて電線１Ｂを構成した場合、導電性繊維２０は、導電線１０の波形同士をつなぐだけでなく、導電線１０の波形と補助導電線１５の波形とをつないでいる。また、必要に応じて、導電性繊維２０は、補助導電線１５の波形同士もつなぐ。
【００４７】
また、導電性編物３０は、導電性編物３０を構成している導電性繊維２０を導電線１０につなぐだけでなく、導電性編物３０を構成している導電性繊維２０を補助導電線１５にもつなぐことにより電線１を構成する。
【００４８】
［３本以上の導電線を有する電線］
以上、電線１を構成する導電線１０が２本の場合を例にして説明した。しかし、電線１は、３本以上の導電線１０を用いて構成することもできる。図４は、４本の導電線１０を用いて電線１Ｃを構成した場合を示している。なお、３本以上の導電線１０で構成された電線１Ｃは、図１〜図３を参照して説明した電線１Ａ，１Ｂとは、導電線１０の本数が異なるだけで、基本的な構成は、同様である。そのため、３本以上の導電線１０で構成された電線１Ｃについては、図１〜図３を参照して説明した電線１とは異なる構成について詳細に説明し、同じ構成については、各図面に、図１〜図３で使用した符号と同じ符号を図面に付して簡単に説明する。
【００４９】
図４に示した電線１Ｃは、４本の導電線１０と、導電性繊維２０と、導電性編物３０とで構成されている。４本の導電線１０を用いて電線１Ｃを構成する場合においても、図４に示すように、導電線１０は構造的に並列に配置され、所定方向Ｘに延びるようにして構成される。また、複数の導電線１０は、所定方向Ｘに対して直交する方向Ｙに各々振幅する波形をなし、隣り合う導電線１０同士が交わっている。なお、この電線１Ｃについても、導電線の波形の頂点同士を接触させてもよい。
【００５０】
導電性繊維２０は、図４に示すように、導電線１０の所定方向Ｘに隣り合う波形同士をつなぎ合わせている。また、導電性繊維２０には縮れが形成されている。
【００５１】
導電性編物３０は、導電線１０の所定方向Ｘに直交する方向Ｙの両側に設けられている。この導電性編物３０は、導電性繊維２０が編み込まれて導電線１０に接続されている。導電性編物３０の編み方は、特に限定はないがたて編みで編み込むことが好ましい。
【００５２】
３本以上の導電線１０を有する電線１は、補助導電線１５を編み込んで構成することもできる。図５は、補助導電線１５を編み込んで構成された電線１Ｄの一例を示している。
【００５３】
図５に示した電線１Ｄは、１本の補助導電線１５を有している。この補助導電線１５は、所定方向Ｘに対して直交する方向Ｙに振幅する波形をなして所定方向Ｘに延びている。補助導電線１５の振幅は４本の導電線１０の振幅より大きく形成されており、４本の導電線１０に接続されている。なお、補助導電線１５が形成する波形の波長は、必要に応じて、導電線１０が形成する波形の波長より長く形成することも、短く形成することもできる。また、補助導電線１５が形成する波形の波長と導電線１０が形成する波形の波長とを同じに形成することもできる。
【００５４】
図６に示した電線１Ｅは、２本の補助導電線１５を編み込んで形成されている。２本の補助導電線１５のうち一方の補助導電線１５は、図６の上側に位置する２本の導電線１０をつないでいる。これに対し、他方の補助導電線１５は、図６の下側に位置する２本の導電線１０をつないでいる。
【００５５】
２本の補助導電線１５が形成する波形の波長は、同じ長さに形成したり、異なる長さに形成したりすることができる。また、補助導電線１５が形成する波形の波長は、必要に応じて、導電線１０が形成する波形の波長より長く形成することも、同じ長さに形成することも、又は短く形成することもできる。
【００５６】
補助導電線は、３本以上設けることもできる。例えば、３本の補助導電線を設ける場合、１本の補助導電線１５は、図５に示した電線１Ｄと同じ形態に設けて、４本の導電線１０をつなぐように配置する。他の２本の補助導電線１５は、図６に示した電線１Ｅと同じ形態に設け、導電線１０を２本ずつつなぐように配置する。
【００５７】
導電線１０を３本以上設けて電線１を形成する場合、図７に示すように、導電線１０の位相が所定方向Ｘにずらして配置することによって構成することもできる。
【００５８】
図７に示した電線１Ｆは、４本の導電線１０により構成されている。４本の導電線は、２本の導電線１０が構造的に並列をなして配置された導電線１０の組が所定方向Ｘにずれて配置されることによって構成されている。図７に示した構造の電線１Ｆは、一方の導電線１０の組を、他方の導電線１０の組の補助導電線１５として機能させることができる。また、この電線１Ｆは、４本の導電線１０を並列に配置して構成された電線１に比べ、Ｙ方向の寸法を小さくすることができる。
【００５９】
［製造方法］
以上の構成を有する電線１は、次のようにして製造される。
【００６０】
導電性繊維２０を編み込んで、Ｙ方向に一定の幅を有する導電性編物３０を形成する。編み方は、特に限定されない。また、複数の導電線１０を波形に編み込む。導電線１０の波形は、導電性編物３０を構成している導電性繊維２０により接続させる。また、複数の導電線１０は、相互に並列をなすように編み込む。その際、隣り合う導電線１０同士が波形の位置で相互に交わったり、接触したりして、つながれるように編み込む。
【００６１】
なお、電線１０を量産する場合、低廉なコストで製造することができるので、導電性繊維２０をたて編みで形成することが好ましい。また、電線１を多数の電線１を製造する場合、図８に示すように、複数の電線１が並列に並ぶようにして電線１の群を形成する。その後、導電性編物３０を導電線１０同士の間の位置で所定方向Ｘに沿って切り離す。切り離す方法は特に限定がなく、例えば刃物で導電性編物３０を裁断する。また、電線１０を構成する導電性編物３０の導電性繊維２０を布地から抜き取ることにより、電線を切り離してもよい。さらに、電線１０同士を水溶性繊維でつなぎ合わせるように編み込んで電線１０の群を形成し、電線１０の群を水に浸漬して水溶性繊維を溶かすことにより電線１０同士を切り離してもよい。
【００６２】
［非導電性繊維を編み込んだ編物が更に設けられた形態］
以上、導電性繊維２０が編み込まれた導電性編物３０と導電線１０とにより構成された電線１について説明した。電線は、導電性編物３０及び導電線１０の他に、非導電性繊維４０が編み込まれた非導電性編物５０を設けて構成することもできる。図９から図１２を参照し、非導電性編物５０、導電性編物３０及び導電線１０により構成された電線２について説明する。
【００６３】
図９に示した電線２Ａは、非導電性編物５０を設けて構成された第１タイプの電線を示している。この電線２Ａは、非導電性繊維４０が編み込まれてなる非導電性編物５０、導電性繊維２０が編み込まれてなる導電編物３０、及び導電線１０により構成されている。
【００６４】
非導電性編物５０を構成する非導電性繊維４０は、例えば、ポリエステル、ナイロン、ポリウレタン、水溶性繊維等の非導電性の繊維により構成されている。非導電性編物５０は、こうした非導電性繊維４０が編み込まれることにより構成されている。非導電性繊維４０の編み方は特に限定がなく、例えば、たて編み、よこ編み等の編み方により編み込まれている。
【００６５】
導電性編物３０は、非導電性編物５０の一面側に導電性繊維２０を重ねて編み込むことにより構成されている。具体的に、導電性編物３０は、非導電性編物５０のＹ方向に一定の間隔を空けており、Ｘ方向に延びる一対の帯状をなすようにして編み込まれている。
【００６６】
導電性編物３０を構成する導電性繊維２０は、例えば、図２を参照して説明した電線１に用いられる導電性繊維２０と同様の構成である。また、導電性繊維２０の編み方についても、図２を参照して説明した電線１を構成する導電性編物３０と同様である。
【００６７】
導電線１０は、導電性編物３０の表面に重ねて編み込まれている。具体的に、導電線１０は、Ｙ方向に一定の間隔を空けて配置されている一対の導電性編物３０の間で一方の導電性編物３０と他方の導電性編物３０と連絡させて編み込まれている。編み込まれた導電線１０は、Ｙ方向に振幅し、Ｘ方向に延びるように形成されて波形をなしている。そして、この導電線１０の振幅した頂部、すなわち、Ｙ方向の両側は、導電性編物３０を構成する導電性繊維２０により保持されている。
【００６８】
図９に示した電線２Ａでは、導電線１０が３本用いられている。３本の導電線１０は、相互に交差しており、交差した部分で相互に接触している。
【００６９】
なお、図９に示した電線２Ａは、非導電性編物５０、導電性編物３０及び導電線１０が電線２Ａの厚さ方向に重ね合わされて構成されている。すなわち、図９に示した電線２Ａは、導電性繊維２０が非導電性編物５０の一面側に編み込まれることによって、導電性編物３０が非導電性編物５０に重ね合わされ、且つ、導電線１０が導電性編物３０の表面に編み込まれることによって重ね合わされて構成されている。しかしながら、電線２Ａは、特に図面には示していないが、非導電性編物５０、導電性編物３０及び導電線を平面的に編み込むことにより構成することもできる。
【００７０】
具体的に、電線２Ａは、平行をなす一対の帯状の非導電性編物５０と、一対の非導電性編物５０の内側に配置され、平行をなす一対の帯状の導電性編物２０と、一対の導電性編物２０同士の間にて導電性編物２０を連絡する波形をなす導電線１０とにより構成される。
【００７１】
次に、図１０を参照して、非導電性編物５０を備えた第２タイプの電線２Ｂについて説明する。
【００７２】
第２タイプの電線２Ｂは、第１タイプの電線１と同様に、非導電性繊維４０が編み込まれてなる非導電性編物５０、導電性繊維２０が編み込まれてなる導電編物３０、及び導電線１０により構成されている。
【００７３】
非導電性繊維４０は、第１タイプの電線１に用いられている非導電性繊維４０と同様である。また、非導電性編物５０の構成も、第１タイプの電線１を構成する非導電性編物５０と同様である。
【００７４】
導電性編物３０は、非導電性編物５０の一面側に重ね合わせ、非導電性編物５０に編み込まれている。この導電性編物３０は、Ｙ方向に一定の幅をなし、Ｘ方向に延びる１本の帯状をなしている。導電性編物３０の編み方は、図２を参照して説明した電線１を構成する導電性編物３０の編み方と同様である。また、導電性繊維２０も、図２を参照して説明した電線１を構成する導電性編物３０の導電性繊維２０と同様である。
【００７５】
導電線１０は、導電性編物３０の表面に編み込まれており、導電性編物３０を構成する導電性繊維２０により保持されている。この導電線１０は、Ｙ方向に振幅し、Ｘ方向に延びる波形をなしている。波形の頂部、すなわち、導電線１０のＹ方向の両端は、導電性編物３０のＹ方向の両端よりも中心側に位置している。
【００７６】
図１０に示した電線２Ｂに関しても、導電線１０が３本用いられている。３本の導電線１０は、相互に交差しており、交差した部分で相互に接触している。
【００７７】
次に、図１１を参照して、非導電性編物５０を備えた第３タイプの電線２Ｃについて説明する。
【００７８】
第３タイプの電線２Ｃは、導電線１０の編み込み方が第２タイプの電線２Ｂとは異なっている。ただし、第３タイプの電線２Ｃのその他の構成は、第２タイプの電線２Ｂの構成と同様である。そのため、この第３タイプの電線２Ｃについては、導電線１０の編み方のみを説明し、その他の構成については、図１０の第２タイプの電線２Ｂを構成する各構成に付した符号と同様の符号を付して説明を省略する。
【００７９】
導電線１０は、複数用いられている。図１１に示した例では、導電線１０が３本用いられている。３本の導電線１０は、Ｙ方向に振幅し、Ｘ方向に延びるようにして導電性編物３０に編み込まれ、導電性編物３０を構成する導電性繊維２０により保持されている。また、３本の導電線１０は、相互に接触しないように、互いに間隔を空けて導電性編物３０に編み込まれている。
【００８０】
次に、図１２を参照して、非導電性編物５０と導電線１０とで構成された第４タイプの電線２Ｄについて説明する。
【００８１】
第４タイプの電線２Ｄは、図１２に示すように、非導電性繊維４０が編み込まれた非導電性編物５０と、複数の導電線１０とにより構成されている。なお、非導電性編物５０の構成、及びこの非導電性編物５０を構成する非導電性繊維４０の構成は、第１タイプから第３タイプの電線２Ｃに用いられている非導電性編物５０の構成、及び非導電性繊維４０の構成と同様である。そのため、非導電性編物５０の構成、及び非導電性繊維４０の構成の説明は、ここでは省略する。
【００８２】
導電線１０は、複数用いられており、各導電線１０がＹ方向に振幅し、Ｘ方向に延びるようにして導電性編物３０に編み込まれている。図１２に示した第４タイプの電線２Ｄの例では、導電線１０は３本用いられている。３本の導電線１０は、相互に接触することがないように、互いに間隔を空けて配置されている。
【００８３】
第４タイプの電線２Ｄは、各導電線１０が、互いに間隔を空けて導電性を有しない非導電性繊維４０からなる非導電性編物５０に直接編み込まれているので、導電性１０同士が相互に絶縁されている。そのため、第４タイプの電線２Ｄは、各導電線１０にそれぞれ異なる電気信号を流すなどして、各導電線１０を別系統の配線として用いることができる。
【００８４】
以上に説明した電線１，２は、例えば、ＯＡ機器や産業機械に用いる様々なケーブルとして用いることができる。ＯＡ機器としては、例えば、ＵＳＢ（Ｕｎｉｖｅｒｓａｌ  Ｓｅｒｉａｌ  Ｂｕｓ）を挙げることができる。また、電線１の導電性編物３０を矩形状に形成し、導電線１０、導電性繊維２０及び補助導電線１５を導電性編物３０の対向する側縁の部分に設けた場合、この構成物を布ヒータ及び布ヒータの電極として用いることができる。
【符号の説明】
【００８５】
１，１Ａ，１Ｂ，１Ｃ，１Ｄ，１Ｅ  電線
２，２Ａ，２Ｂ，２Ｃ，２Ｄ  電線
１０  導電線
１５  補助導電線
２０  導電性繊維
３０  導電性編物
４０  非導電性繊維
５０  非導電性編物
【図１】
2020061386.tif 000003
【図２】
2020061386.tif 000004
【図３】
2020061386.tif 000005
【図４】
2020061386.tif 000006
【図５】
2020061386.tif 000007
【図６】
2020061386.tif 000008
【図７】
2020061386.tif 000009
【図８】
2020061386.tif 000010
【図９】
2020061386.tif 000011
【図１０】
2020061386.tif 000012
【図１１】
2020061386.tif 000013
【図１２】
2020061386.tif 000014